(57)【要約】      （修正有）【課題】車椅子の利用者負担の軽減と補助する介護者の作業の軽減を図る。【解決手段】車椅子の利用者用の起きる・座る装置。搬送手段が人力であること。本体が開閉可能なこと。背もたれが繊維で出来ていること。手摺りが片方が、左右開閉できること。後方より車椅子が差し込めること。ジャッキが空気を利用したもので、コンプレッサーを本体に積んでいるもの。電源がバッテリーで本体に積んでいるもの。【選択図】図１
2009028469.tif 000002
【特許請求の範囲】
【請求項１】
１．車椅子の利用者ようの起きる・座る装置
【請求項２】
１．搬送手段が、人力であること
【請求項３】
１．本体が、開閉可能なこと
【請求項４】
１．背もたれが、繊維で出来ていること
【請求項５】
１．手摺りが片方が、左右開閉できること
【請求項６】
１．後方より車椅子が差し込めること
【請求項７】
１．ジャッキーが、空気を領したもので、コンプレッサーを本体に積んでいるもの
【請求項８】
１．電源が、バッテリーで、本体につんでいるもの
【発明の詳細な説明】
【技術分野】
【０００１】  人力対応での人材不足は、これから対応が、難しい従って  機材での対応がこれから将来において発展していくべきだと思うしかしこれまでこのような発明が、なされてきていない現実ふまえ家族の自立を政府が要求しているのだからこのような機材が、あって  しかるべきではないかと  この発明にいたる。
【背景の技術】
【０００２】  施設・病院・家の中藤の移動手段としては、車椅子等が、あるしかし起きる・座るといった作業は、一日の中何度もあるのだが、その補助装置は、無い  人力対応なのである  たとえれば９０歳の親を７０歳の子供が面倒みるとし、毎日何度も繰り返し面倒は、みられない足をケガした人間にも同じことが言えるこれからの社会は、高齢化し、補助年齢も上がっていく  従って高齢者・いくつかのハンディキャップを持つものも簡単に補助できるものが、望ましいと思う
【発明の開示】
【０００３】この発明を開示することにより、より良いものが、発明されることを期待する。２次的な被害者の出ない世の中になれば、良いと考える介護疲れでのノイローゼなどが、昨今多く新聞に載るたびに少しでも少なくなればとこの発明を思いついたしだいです。
【発明の効果】
【０００４】    服の着替え・掃除・シーツのヤリカエ・車椅子の乗り換え・トイレ・風呂・食事等起きる・座るといった行為は、日々何度も繰り返し行なわれるこの作業の軽減化短縮した時間で、軽減化された時間で、少しでも余暇・趣味等が、出来れば、また違い暮らしの営みが、生まれると考える。
【発明を実施するための最良の形態】
【０００５】１．医療施設への設置２．老人医療施設への設置３．車椅子の利用設備等を持つ公共施設への設置４．介護等の設備販売店の設置５．宿泊設備で、車椅子の利用可能な施設への設置
【実施例１】
【０００６】軽度の利用者は、自力で起きれるようになる
【実施例２】
【０００７】車椅子への移動が簡単になる
【実施例３】
【０００８】  通常の生活に近いことが、簡単に出来るようになる介護者・補助者  等の作業の軽減が、出来る
【産業上の利用可能性】
【０００９】  社会からリタイヤし老後に備えるべき年齢の人間が、介護に追われこれまで、考えてもいない生活を送る介護等が済めばすぐ近くにし自分の介護が、待ち受けている休むことも無く人生を終える想像は、いたって厳しい選択である。したがって、介護等が、軽減されるのであれば必ず需要は、発生すると確信する。
【設計図書説明】
コントロールリモコンによりエアーじや機内に空気をコンプレッサーで送り込む空気を抜くときも同じである。本体の移動は、人力で行なう電動式なので空気は、汚さない。設計図書に記載した通り本体の足元・腕は、稼動する。背もたれの固定は、布製のものをマジックテープ止めするマジックテープの幅は。１００ｍ／ｍ以上する詳細寸法は、記載寸法とする。本体は、鉄製とし、亜鉛ドブつけ品仕様とする。本体外部にはゴム製ラバーまきとする。
【図１】
2009028469.tif 000003
【手続補正書】
【提出日】平成19年10月31日(2007.10.31)
【手続補正１】
【補正対象書類名】明細書
【補正対象項目名】全文
【補正方法】変更
【補正の内容】
【発明の詳細な説明】
【技術分野】
【０００１】  人力対応での人材不足は、これから対応が、難しい
従って  機材での対応がこれから将来において発展していくべきだと思う
しかしこれまでこのような発明が、なされてきていない現実ふまえ
家族の自立を政府が要求しているのだからこのような機材が、あって  しかるべきではないかと  この発明にいたる。
【背景の技術】
【０００２】  施設・病院・家の中藤の移動手段としては、車椅子等が、ある
しかし起きる・座るといった作業は、一日の中何度もあるのだが、その補助装置は、無い  人力対応なのである  たとえれば９０歳の親を７０歳の子供が面倒みるとし、毎日何度も繰り返し面倒は、みられない
足をケガした人間にも同じことが言える
これからの社会は、高齢化し、補助年齢も上がっていく  従って高齢者・いくつかのハンディキャップを持つものも簡単に補助できるものが、望ましいと思う
【発明の開示】
【０００３】  この発明を開示することにより、より良いものが、発明されることを期待する。
２次的な被害者の出ない世の中になれば、良いと考える
介護疲れでのノイローゼなどが、昨今多く新聞に載るたびに少しでも少なくなればとこの発明を思いついたしだいです。
【発明の効果】
【０００４】    服の着替え・掃除・シーツのヤリカエ・車椅子の乗り換え・トイレ・風呂・食事等起きる・座るといった行為は、日々何度も繰り返し行なわれる
この作業の軽減化
短縮した時間で、軽減化された時間で、少しでも余暇・趣味等が、出来れば、また違い暮らしの営みが、生まれると考える。
【発明を実施するための最良の形態】
【０００５】１．医療施設への設置
２．老人医療施設への設置
３．車椅子の利用設備等を持つ公共施設への設置
４．介護等の設備販売店の設置
５．宿泊設備で、車椅子の利用可能な施設への設置
【実施例１】
【０００６】  軽度の利用者は、自力で起きれるようになる
【実施例２】
【０００７】  車椅子への移動が簡単になる
【実施例３】
【０００８】  通常の生活に近いことが、簡単に出来るようになる
介護者・補助者  等の作業の軽減が、出来る
【産業上の利用可能性】
【０００９】  社会からリタイヤし老後に備えるべき年齢の人間が、介護に追われ
これまで、考えてもいない生活を送る
介護等が済めばすぐ近くにし自分の介護が、待ち受けている
休むことも無く人生を終える想像は、いたって厳しい選択である。
したがって、介護等が、軽減されるのであれば必ず需要は、発生すると確信する。
【図面の簡単な説明】
【００１０】
【図１】  平面図  ベット等から立ち上がった状態で、後ろから車椅子が入り  車椅子に移動することが、出来る。
【図２】  立面図  側面  ベットの下に入り込み立ち上がらすことが出来る  上工期は、全てエアージャッキなどの電動にて行なう
【図３】  立面図  正面  人員の固定は、左右に移動することにより行う  腕の固定は、背もたれの布にて行う
【手続補正２】
【補正対象書類名】図面
【補正対象項目名】全図
【補正方法】変更
【補正の内容】
【図１】
2009028469.tif 000004
【図２】
2009028469.tif 000005
【図３】
2009028469.tif 000006
【手続補正書】
【提出日】平成19年11月26日(2007.11.26)
【手続補正１】
【補正対象書類名】明細書
【補正対象項目名】全文
【補正方法】変更
【補正の内容】
【発明の詳細な説明】
【技術分野】
【０００１】  人力対応での人材不足は、これから対応が、難しい
従って  機材での対応がこれから将来において発展していくべきだと思う
しかしこれまでこのような発明が、なされてきていない現実ふまえ
家族の自立を政府が要求しているのだからこのような機材が、あって  しかるべきではないかと  この発明にいたる。
【背景の技術】
【０００２】    施設・病院・家の中藤の移動手段としては、車椅子等が、ある
しかし起きる・座るといった作業は、一日の中何度もあるのだが、その補助装置は、無  い  人力対応なのである  たとえれば９０歳の親を７０歳の子供が面倒みるとし、毎日  何度も繰り返し面倒は、みられない
足をケガした人間にも同じことが言える
これからの社会は、高齢化し、補助年齢も上がっていく  従って高齢者・いくつかのハンディキャップを持つものも簡単に補助できるものが、望ましいと思う
【発明の開示】
【０００３】  この発明を開示することにより、より良いものが、発明されることを期待する。
２次的な被害者の出ない世の中になれば、良いと考える
介護疲れでのノイローゼなどが、昨今多く新聞に載るたびに少しでも少なくなればとこの発明を思いついたしだいです。
【発明の効果】
【０００４】    服の着替え・掃除・シーツのヤリカエ・車椅子の乗り換え・トイレ・風呂・食事等起きる・座るといった行為は、日々何度も繰り返し行なわれる
この作業の軽減化
短縮した時間で、軽減化された時間で、少しでも余暇・趣味等が、出来れば、また違い暮らしの営みが、生まれると考える。
【発明を実施するための最良の形態】
【０００５】１．  医療施設への設置
２．  老人医療施設への設置
３．  車椅子の利用設備等を持つ公共施設への設置
４．  介護等の設備販売店の設置
５．  宿泊設備で、車椅子の利用可能な施設への設置
【実施例１】
【０００６】  軽度の利用者は、自力で起きれるようになる
【実施例２】
【０００７】  車椅子への移動が簡単になる
【実施例３】
【０００８】  通常の生活に近いことが、簡単に出来るようになる
介護者・補助者  等の作業の軽減が、出来る
【産業上の利用可能性】
【０００９】  社会からリタイヤし老後に備えるべき年齢の人間が、介護に追われ
これまで、考えてもいない生活を送る
介護等が済めばすぐ近くにし自分の介護が、待ち受けている
休むことも無く人生を終える想像は、いたって厳しい選択である。
したがって、介護等が、軽減されるのであれば必ず需要は、発生すると確信する。
【図面の簡単な説明】
【００１０】
【図１】  平面図  ベット等から立ち上がった状態で、後ろから車椅子が入り  車椅子に移動することが、出来る。
【図２】  立面図  側面  ベットの下に入り込み立ち上がらすことが出来る  上工期は、全てエアージャッキなどの電動にて行なう
【図３】  立面図  正面  人員の固定は、左右に移動することにより行う  腕の固定は、背もたれの布にて行う
【手続補正２】
【補正対象書類名】図面
【補正対象項目名】全図
【補正方法】変更
【補正の内容】
【図１】
2009028469.tif 000007
【図２】
2009028469.tif 000008
【図３】
2009028469.tif 000009